(57)【要約】【課題】簡易な構成で、かつ、靴紐を解かずに容易に着脱可能な靴を提供する。【解決手段】靴１０には、外甲１６に形成された靴紐１２を通すための複数の紐穴が形成される。紐穴は、並行に延びる第１および第２の紐穴列からなる。靴１０は、第１面ファスナ２０と第１アジャスタ１４とを備える。第１面ファスナ２０は、外甲１６に設けられ、第１の紐穴列に交差する方向に延びる。第１アジャスタ１４は、第１面ファスナ２０に沿って延びる底面部と上面部とを有する。底面部は、第１の紐穴列よりも第２の紐穴列の側に位置する第１の固定部２４Ｔを中心として回動自在であり、かつ、第１面ファスナ２０に対して離着自在である。上面部は、底面部の第１の紐穴列に関して第１の固定部２４Ｔとは反対側に位置する第２の固定部２２Ｎを中心として回動自在である。【選択図】図２
2014180390.tif 000002
【特許請求の範囲】
【請求項１】
靴紐を通すための複数の紐穴から成り、並行に延びる第１および第２の紐穴列が外甲に形成された靴本体と、
前記外甲に設けられ、前記第１の紐穴列に交差する方向に延びる第１面ファスナと、
前記第１面ファスナに沿って延びる底面部と上面部とを有する第１アジャスタとを備え、
前記底面部は、前記第１の紐穴列よりも前記第２の紐穴列の側に位置する第１の固定部を中心として回動自在であるとともに、前記第１面ファスナに対して離着自在であり、
前記上面部は、前記底面部の前記第１の紐穴列に関して前記第１の固定部とは反対側に位置する第２の固定部を中心として回動自在である
ことを特徴とする靴。
【請求項２】
前記上面部は、前記第１の紐穴列の一部を構成する紐穴を有し、
前記第１面ファスナは、外甲上部からかかと部にかけて帯状に設けられ、
前記第１アジャスタは、前記第１紐穴列の上部に設けられ、
前記底面部は、前記第１面ファスナと略同一形状である
ことを特徴とする請求項１の靴。
【請求項３】
前記外甲に設けられ、前記第２の紐穴列に交差する方向に延びる第２面ファスナと、
前記第２面ファスナに沿って延びる第２アジャスタと、
前記第２の紐穴列側に矩形のリングとをさらに備え、
前記上面部の前記第２の紐穴列側の端部が、前記リングの一辺に固定され、
前記第２のアジャスタは、前記第２面ファスナによって外甲に対して離着自在であり、かつ、前記一辺と対向する他辺に係合されることを特徴とする請求項１に記載の靴。
【請求項４】
前記第１面ファスナ及び前記第２面ファスナは、外甲上部からかかと部にかけて帯状に設けられ、かつ、前記第１面ファスナと前記第２面ファスナとは、靴を正面から見たときの鉛直方向中心線に関して、対象の位置に設けられ、
前記第１アジャスタ及び第２アジャスタは、共に前記外甲上端に設けられることを特徴とする請求項３に記載の靴。
【請求項５】
靴紐を通すための複数の紐穴から成り、並行に延びる第１および第２の紐穴列が外甲に形成された靴本体に取付けられる靴の履口部緊締具であって、
前記外甲に設けられ、前記第１の紐穴列に交差する方向に延びる第１面ファスナと、
前記第１面ファスナに沿って延びる底面部と上面部とを有する第１アジャスタとを備え、
前記底面部は、前記第１の紐穴列よりも前記第２の紐穴列の側に位置する第１の固定部を中心として回動自在であるとともに、前記第１面ファスナに対して離着自在であり、
前記上面部は、前記底面部の前記第１の紐穴列に関して前記第１の固定部とは反対側に位置する第２の固定部を中心として回動自在である
ことを特徴とする靴の履口部緊締具。
【発明の詳細な説明】
【技術分野】
【０００１】
本発明は、履口部緊締具を備えた靴に関し、より詳しくは、靴紐を解かずに着脱が可能な靴に関する。
【背景技術】
【０００２】
従来、靴ひもを解かずに着脱可能な靴として、面ファスナとフックとの噛み合いを調整するものが知られている（特許文献１）。具体的には、靴の前面に靴紐通し部が設けられており、通常のように靴紐が通されることで足首と靴とが緊締される。また、フックにも靴紐通し部の一部が形成されており、フックの紐通し部にも靴紐が通される。さらに、フックにはスリットが形成されており、スリットには靴の外甲と一体的な面ファスナが挿通されて噛み合う。このような構成において、面ファスナのスリットとの噛み合いを調整することで外甲に締めつけて足首と靴が固定される。
【０００３】
このように、面ファスナの締め付け具合と、靴紐の締め具合とを調整することで、足首が靴に固定される。さらに、着脱時には、面ファスナとフックとの噛み合いを緩めることによって生じる、足首と靴との空間によって着脱自在となる。このように、靴紐を解かずとも、面ファスナを緩めるだけで容易に靴の着脱が可能となる。
【先行技術文献】
【特許文献】
【０００４】
【特許文献１】特開平９−１９１９０６号公報
【発明の概要】
【発明が解決しようとする課題】
【０００５】
しかし、特許文献１の構成では、着脱を容易にするために靴本体とは別の部材であるフックを設ける必要があり、構成が複雑になるという問題がある。そこで、本発明は、より簡易な構成で、かつ、靴紐を解かずに容易に着脱可能な靴を提供することを目的としている。
【課題を解決するための手段】
【０００６】
本発明に係る靴は、靴紐を通すための複数の紐穴から成り、並行に延びる第１および第２の紐穴列が外甲に形成された靴本体と、外甲に設けられ、第１の紐穴列に交差する方向に延びる第１面ファスナと、第１面ファスナに沿って延びる底面部と上面部とを有する第１アジャスタとを備え、底面部は、第１の紐穴列よりも第２の紐穴列の側に位置する第１の固定部を中心として回動自在であるとともに、第１面ファスナに対して離着自在であり、上面部は、底面部の第１の紐穴列に関して第１の固定部とは反対側に位置する第２の固定部を中心として回動自在であることを特徴とする。
【０００７】
また、上面部は、第１の紐穴列の一部を構成する紐穴を有し、第１面ファスナは、外甲上部からかかと部にかけて帯状に設けられ、第１アジャスタは、第１紐穴列の上部に設けられ、底面部は、第１面ファスナと略同一形状であることが好ましい。
【０００８】
さらに、外甲に設けられ、第２の紐穴列に交差する方向に延びる第２面ファスナと、第２面ファスナに沿って延びる第２アジャスタと、第２の紐穴列側に矩形のリングとをさらに備え、上面部の第２の紐穴列側の端部が、リングの一辺に固定され、第２のアジャスタは、第２面ファスナによって外甲に対して離着自在であり、かつ、一辺と対向する他辺に係合されても良い。
【０００９】
また、第１面ファスナ及び第２面ファスナは、外甲上部からかかと部にかけて帯状に設けられ、かつ、第１面ファスナと第２面ファスナとは、靴を正面から見たときの鉛直方向中心線に関して、対象の位置に設けられ、第１アジャスタ及び第２アジャスタは、共に外甲上端に設けられることが好ましい。
【００１０】
本発明に係る靴の履口部緊締具は、靴紐を通すための複数の紐穴から成り、並行に延びる第１および第２の紐穴列が外甲に形成された靴本体に取付けられる靴の履口部緊締具であって、外甲に設けられ、第１の紐穴列に交差する方向に延びる第１面ファスナと、第１面ファスナに沿って延びる底面部と上面部とを有する第１アジャスタとを備え、底面部は、第１の紐穴列よりも第２の紐穴列の側に位置する第１の固定部を中心として回動自在であるとともに、第１面ファスナに対して離着自在であり、上面部は、底面部の第１の紐穴列に関して第１の固定部とは反対側に位置する第２の固定部を中心として回動自在であることを特徴とする。
【発明の効果】
【００１１】
本発明によれば、簡易な構成で、かつ、靴紐を解かずに容易に着脱可能な靴を提供することが可能となる。
【図面の簡単な説明】
【００１２】
【図１】本発明の第１の実施形態を適用した靴の正面図である。
【図２】アジャスタを解放した状態を表す靴の正面図である。
【図３】アジャスタを外した靴の側面図である。
【図４】（ａ）アジャスタの斜視図であり、（ｂ）アジャスタの側面図である。
【図５】アジャスタが取り付けられた状態を表す側面図である。
【図６】アジャスタを解放した状態を表す側面図である。
【図７】本発明の第２の実施形態を表す靴の正面図である。
【発明を実施するための形態】
【００１３】
図１は、本発明の第１の実施形態を適用した靴の正面図である。靴１０は、一般的な紐靴と同様の外観を有する。すなわち、靴紐１２を緊締することによって、足首（図示せず）と靴１０とが固定される。具体的には、靴紐１２は、正面右側の第１の紐穴列と正面左側の第２の紐穴列とを通って、靴１０の外甲１６の下部から上端にかけて緊締される。一般的な紐靴と異なる点は、後に詳述するように、外甲１６にアジャスタ１４が備えられることである。
【００１４】
図２は、靴１０の脱着時の様子を表す図である。アジャスタ１４が外甲１６から解放されることによって、ベロ１３を靴１０の全方側へ動かすことができる。これにより、足首は靴１０から解放される。本実施形態の特徴は、このとき、靴紐１２は緊締されたときの状態を保持していることである。以下、図３から図６を参照して、第１の実施形態におけるアジャスタ１４の構成の詳細を説明する。
【００１５】
図３は、アジャスタ１４が取り除かれた靴１０の側面図である。また、靴紐１２は図１のように、外甲１６の下部から上端までを緊締するが、簡単のため外甲１６上端の靴紐１２は省略されている。
【００１６】
外甲１６には、第１面ファスナ２０が設けられる。第１面ファスナ２０は、外甲１６の上部からかかと部１８にかけて、帯状に設けられる。第１面ファスナ２０は外甲１６に固定されている。なお、図３に示された第１面ファスナ２０の形態は一例であり、帯状に限られない。
【００１７】
図４（ａ）は、アジャスタ１４の斜視図であり、図４（ｂ）はアジャスタ１４の側面図である。アジャスタ１４は、底面部２４と上面部２８を有する。上面部２８は、可動面２６と固定面２２とからなる。固定面２２は、点線で示されるように、底面部２４に対して、底面部２４の内周に沿って縫い付けられて固定される。可動面２６には、例えば２箇所に紐穴３０、３２が設けられる。また、本実施形態において、可動面２６と固定面２２の面積は略等しい。
【００１８】
可動面２６は底面部２４に対して回動自在である。すなわち、可動面２６と底面部２４とからなる角度αは、底面部２４の長手方向略中心において点線で表された縫い目２２Ｎ（第２の固定部）を中心として、０度から１８０度までの値をとり得る。
【００１９】
底面部２４の形状は、第１面ファスナ２０（図３参照）の形状と略等しい。さらに、第１面ファスナ２０（図３参照）の表面と、底面部２４の裏面２４Ｐとは、互いに離着自在な素材で構成される。このように、底面部２４と第１面ファスナ２０との形状が等しいため、これらが密着する時、底面部２４は第１面ファスナ２０に強固に固定される。
【００２０】
図５は、アジャスタ１４が外甲１６に取付けられた状態を示す図である。また、図３と同様に、靴紐１２の結び目は簡単のため省略されている。アジャスタ１４は、底面部２４の端部２４Ｔ（第１の固定部）において、第１面ファスナ２０に対して縫い付けられて固定される。端部２４Ｔは、第１の紐穴列よりも第２の紐穴列の側に位置する。このように、端部２４Ｔが固定されることによって底面部２４は回動自在であるとともに、底面部２４は第１面ファスナ２０に対して離着自在である。
【００２１】
また、角度αが０度となるとき、すなわち可動面２６が底面部２４に触れるとき、紐穴３０・３２は外甲１６に設けられた紐穴３４〜３８を結ぶ直線上に位置する。したがって、靴紐１２は、紐穴３０、３２、３４、３６及び３８（第１の紐穴列）の５つの穴を通って、外甲１６の下部からベロ１３を緊締することが可能となる。なお、図１は、靴紐１２が靴穴３０〜３８に通された時の状態である。
【００２２】
図６を参照すると、アジャスタ１４が第１面ファスナ２０から剥離された状態が示されている。アジャスタ１４は、底面部２４の端部２４Ｔを中心に回動自在である。すなわち、底面部２４と第１面ファスナ２０とのなす角βは、０度から１８０度の値をとり得る。
【００２３】
再び図１及び図２を参照し、ユーザの靴１０の着脱の手順を説明する。図２を参照すると、靴紐１２を緊締した状態にもかかわらず、第１面ファスナ２０からアジャスタ１４を剥離させることにより、靴紐１２がベロ１３から解放され、ユーザは靴紐１２を解かずに、足（図示せず）を靴１０に挿入することが可能となる。この状態で、ユーザは靴１０を履き、その後、アジャスタ１４を第１面ファスナ２０に固定する。
【００２４】
このとき、ユーザは足が靴１０に固定されていないと感じた場合には、自身の足首がベロ１３に固定されるように、靴紐１２を緊締し直す。これにより、靴１０はユーザの足にフィットした状態となり得る。この一連の動作を終えた状態が、図１である。
【００２５】
再び図２を参照すると、ユーザが靴１０を脱ぐときには、アジャスタ１４を剥離することで、ベロ１３が靴紐１２から解放されるとともに、足首（図示せず）が靴１０から解放される。このように、ユーザは、靴紐１２を解かずに、アジャスタ１４を操作するだけで靴１０を脱ぐことが可能となる。
【００２６】
なお、上述のような靴紐１２を緊締し直す動作は例外的である。すなわち、多くの場合、アジャスタ１４の離着で靴１０を着脱しても、靴紐１２が緩むことはなく靴紐１２を緊締し直す必要はない。
【００２７】
このように、第１の実施形態によれば、従来の靴に、靴１０と一体的に形成されたアジャスタ１４を備えるだけの簡単な構成で、かつ、容易に着脱可能な靴１０を生産することが可能となる。
【００２８】
図７は、本発明の第２の実施形態を表す靴４０の正面図である。第１の実施形態との違いは、第一に、アジャスタが２つ設けられることである。第二に、靴紐１２の結び目が２つのアジャスタの下方に配置されることである。すなわち、ベロ１３の緊締は２つのアジャスタのみによって行われる。
【００２９】
第１アジャスタ４２の構成の大部分は、第１の実施形態と同一であるため省略する。以下では、第２の実施形態特有の第１アジャスタ４２の構成、および、第２アジャスタ５６の構成について説明する。なお、同部材には同符号が付されている。
【００３０】
外甲４６の上部には、リング４８が設けられる。リング４８は、外甲４６に対して固定されない。第１アジャスタ４２の可動面５０の端部５０Ｔは、リング４８のリング右辺５２に巻きつけられて固定される。第２アジャスタ５６は、リング４８のリング左辺５４に係合しつつ、リング４８の穴に通される。第２アジャスタ５６は、第１アジャスタ４２と同様に面ファスナで構成される。
【００３１】
第１の実施形態と同様に、ユーザは、靴４０に足を挿入した後、第１アジャスタ４２が面ファスナ（図示せず）に固定される。これにより、第１アジャスタの底面部２４は外甲１６に固定される。その後、第２アジャスタ５６が緊締され、第２面ファスナ５８に密着されることで、ユーザの足首は靴４０に固定される。ここで、第２アジャスタ５６に対向する外甲４６に形成された面ファスナは、第１アジャスタ４２と略同一の形状である。
【００３２】
このように、第２の実施形態によれば、第１の実施形態と同様に、靴紐１２を解かずに靴４０を着脱可能である。また、従来の靴に、第１アジャスタ４２及び第２アジャスタ５６を備えるだけの簡単な構成で、かつ、容易に着脱可能な靴４０を生産することが可能となる。なお、第１アジャスタ４２は外甲１６に一体的に形成され、第２アジャスタ５６は外甲４６に一体的に形成されている点も特徴である。
【００３３】
なお、第１および第２の実施形態において、第１及び第２の紐穴列は必ずしも紐穴である必要は無く、例えば、フック等によって紐を一定間隔おきに固定する部材が代わりに備えられても良い。さらに、第１及び第２の紐穴列だけではなく、第３、第４の紐穴列、すなわち３以上の紐穴列が備えられる構成であっても良い。
【符号の説明】
【００３４】
１０  靴
１２  靴紐
１３  ベロ
１４  第１アジャスタ
１６、４６  外甲
１８  かかと部
２０  第１面ファスナ
２２  固定面
２２Ｎ  縫い目
２４  底面部
２４Ｐ  裏面
２４Ｔ  端部（第１の固定部）
２６、５０  可動面
２８  上面部
３０、３２、３４、３６、３８  紐穴（第１の紐穴列）
４０  靴
４２  第１アジャスタ
４８  リング
５２  リング右辺
５４  リング左辺
５６  第２アジャスタ
５８  第２面ファスナ
α、β  角度
【図１】
2014180390.tif 000003
【図２】
2014180390.tif 000004
【図３】
2014180390.tif 000005
【図４】
2014180390.tif 000006
【図５】
2014180390.tif 000007
【図６】
2014180390.tif 000008
【図７】
2014180390.tif 000009
【手続補正書】
【提出日】平成25年8月21日(2013.8.21)
【手続補正１】
【補正対象書類名】特許請求の範囲
【補正対象項目名】全文
【補正方法】変更
【補正の内容】
【特許請求の範囲】
【請求項１】
靴紐を通すための複数の紐穴から成り、並行に延びる第１および第２の紐穴列が外甲に形成された靴本体と、
前記外甲に設けられ、前記第１の紐穴列に交差する方向に延びる第１面ファスナと、
前記第１面ファスナに沿って延びる底面部と上面部とを有する第１アジャスタとを備え、
前記底面部は、前記第１の紐穴列よりも前記第２の紐穴列の側に位置する第１の固定部を中心として前記第１面ファスナに対して回動自在であるとともに、前記第１の固定部以外の部分において前記第１面ファスナに対して離着自在であり、
前記上面部は、前記底面部の前記第１の紐穴列に関して前記第１の固定部とは反対側に位置する第２の固定部を中心として前記底面部に対して回動自在であり、
前記上面部は、前記第１の紐穴列の一部を構成する紐穴を有する
ことを特徴とする靴。
【請求項２】
前記第１面ファスナは、外甲上部からかかと部にかけて帯状に設けられ、
前記第１アジャスタは、前記第１紐穴列の上部に設けられ、
前記底面部は、前記第１面ファスナと略同一形状である
ことを特徴とする請求項１に記載の靴。
【請求項３】
靴紐を通すための複数の紐穴から成り、並行に延びる第１および第２の紐穴列が外甲に形成された靴本体と、
前記外甲に設けられ、前記第１の紐穴列に交差する方向に延びる第１面ファスナと、
前記第１面ファスナに沿って延びる底面部と上面部とを有する第１アジャスタとを備え、
前記底面部は、前記第１の紐穴列よりも前記第２の紐穴列の側に位置する第１の固定部を中心として前記第１面ファスナに対して回動自在であるとともに、前記第１の固定部以外の部分において前記第１面ファスナに対して離着自在であり、
前記上面部は、前記底面部の前記第１の紐穴列に関して前記第１の固定部とは反対側に位置する第２の固定部を中心として前記底面部に対して回動自在であり、
前記外甲に設けられ、前記第２の紐穴列に交差する方向に延びる第２面ファスナと、
前記第２面ファスナに沿って延びる第２アジャスタと、
前記第２の紐穴列側に矩形のリングとをさらに備え、
前記上面部の前記第２の紐穴列側の端部が、前記リングの一辺に固定され、
前記第２のアジャスタは、前記第２面ファスナによって外甲に対して離着自在であり、かつ、前記一辺と対向する他辺に係合されることを特徴とする靴。
【請求項４】
前記第１面ファスナ及び前記第２面ファスナは、外甲上部からかかと部にかけて帯状に設けられ、かつ、前記第１面ファスナと前記第２面ファスナとは、靴を正面から見たときの鉛直方向中心線に関して、対称の位置に設けられ、
前記第１アジャスタ及び第２アジャスタは、共に前記外甲上端に設けられることを特徴とする請求項３に記載の靴。
【請求項５】
靴紐を通すための複数の紐穴から成り、並行に延びる第１および第２の紐穴列が外甲に形成された靴本体に取付けられる靴の履口部緊締具であって、
前記外甲に設けられ、前記第１の紐穴列に交差する方向に延びる第１面ファスナと、
前記第１面ファスナに沿って延びる底面部と上面部とを有する第１アジャスタとを備え、
前記底面部は、前記第１の紐穴列よりも前記第２の紐穴列の側に位置する第１の固定部を中心として前記第１面ファスナに対して回動自在であるとともに、前記第１の固定部以外の部分において前記第１面ファスナに対して離着自在であり、
前記上面部は、前記底面部の前記第１の紐穴列に関して前記第１の固定部とは反対側に位置する第２の固定部を中心として前記底面部に対して回動自在であり、
前記上面部は、前記第１の紐穴列の一部を構成する紐穴を有する
ことを特徴とする靴の履口部緊締具。
【請求項６】
靴紐を通すための複数の紐穴から成り、並行に延びる第１および第２の紐穴列が外甲に形成された靴本体に取付けられる靴の履口部緊締具であって、
前記外甲に設けられ、前記第１の紐穴列に交差する方向に延びる第１面ファスナと、
前記第１面ファスナに沿って延びる底面部と上面部とを有する第１アジャスタとを備え、
前記底面部は、前記第１の紐穴列よりも前記第２の紐穴列の側に位置する第１の固定部を中心として前記第１面ファスナに対して回動自在であるとともに、前記第１の固定部以外の部分において前記第１面ファスナに対して離着自在であり、
前記上面部は、前記底面部の前記第１の紐穴列に関して前記第１の固定部とは反対側に位置する第２の固定部を中心として前記底面部に対して回動自在であり、
前記外甲に設けられ、前記第２の紐穴列に交差する方向に延びる第２面ファスナと、
前記第２面ファスナに沿って延びる第２アジャスタと、
前記第２の紐穴列側に矩形のリングとをさらに備え、
前記上面部の前記第２の紐穴列側の端部が、前記リングの一辺に固定され、
前記第２のアジャスタは、前記第２面ファスナによって外甲に対して離着自在であり、かつ、前記一辺と対向する他辺に係合される
ことを特徴とする靴の履口部緊締具。